(57)【要約】【課題】低コストの栓付きノズルヘッドを提供する。【解決手段】先端を僅かに下方に湾曲させたノズルの開口端に、第一係止片を有する突部と蓋体とから成る栓をヒンジを介して開閉回動可能に連結し、ノズル先端に第一係止片と係合する第二係止片を設け、両係止片の立ち上がり面を、金型から離型可能な抜き勾配面とし、これにより、栓付きノズルヘッドを、容易に製造でき、低いコストで提供できる。【選択図】図１
2005162315.tif 000002
【特許請求の範囲】
【請求項１】
容器口部に組み付けたポンプ機構の作動軸上端に取り付けられ、前記ポンプ機構から前記作動軸を介して送出された前記容器の内容液を前方に向けて延出されたノズルより吐出するノズルヘッドにおいて、前記ノズルの先端部を下方に向けて僅かに湾曲させ、かつ該ノズルの開口面を、該ノズルの中心線に垂直な面より下方に向けて傾斜させ、前記ノズルの先端にヒンジを介して平板状の蓋体を設け、該蓋体の内面に前記ノズルの開口部に嵌合する突部を設けて栓を構成し、前記蓋体の外面に第一係止片を設け、前記ノズルの先端上面に前記第一係止片に係合して前記蓋体を開姿勢に保持する第二係止片を設け、該両係止片を、前記ヒンジのヒンジ軸に垂直な面に沿って起立させ、一方が他方の隙間に嵌入することにより係合するものとして成る栓付きノズルヘッド。
【請求項２】
蓋体が、ノズルの開口面の仮想される延長面に沿って位置する状態で、第一係止片および第二係止片の立ち上げ壁面を、離型時に無理抜きが生じない姿勢に形成した請求項１記載の栓付きノズルヘッド。
【請求項３】
蓋体が、ノズルの開口面の仮想される延長面に沿って位置する状態で、両係止片の対向した起立端縁を、型抜き方向に対して０°ないし３０°の範囲で傾斜させた請求項２記載の栓付きノズルヘッド。
【発明の詳細な説明】
【技術分野】
【０００１】  本発明は、ポンプ機能付き容器の上端に組み付けられ、ノズルの先端に開閉自在な栓を一体に備えたノズルヘッドに関するものである。
【背景技術】
【０００２】  シャンプーや石鹸剤等を容器内部に収容し、容器本体から上方に延出されたノズルヘッドを押し下げてノズルからシャンプー等を吐出させるポンプ機能付きの容器が知られている。かかるノズルヘッドは、通常ノズルの先端を、僅かに下向きに湾曲させ、内容液を吐出させた際内容液が下方、あるいは斜め下方に吐出されるようにしている。【０００３】  また、このようなノズルヘッドを成形する金型は、ノズルヘッドの中心軸に沿って往復動して組み合わされる一対の主金型に加え、ノズルの内面形状に合せて湾曲した棒状部材を有し、棒状部材によりノズルの内面を成形する管内用金型を上記主金型に加えて構成されている。【０００４】
【特許文献１】特公平２−１０７０５号公報
【発明の開示】
【発明が解決しようとする課題】
【０００５】  従来のポンプ機能付き容器のノズル先端に栓を設け、栓を開閉可能とすると、ノズル内部への埃等の侵入を防止したり、蒸発による内容液のノズル内での固化が防止でき好ましいが、組み付ける栓を別途用意すると紛失しやすくなるおそれがあるため、ノズルに取り付けられ、しかもノズルヘッドと一体に成形できるほうがコスト的に有利となる。【０００６】  この栓は、使用上の要求から、開姿勢を不動に保持する必要があるが、ノズルの内面を形成する管内用金型が主金型の往復動方向と異なる方向から組み付けられ、かつノズル内面の形状と管内用金型の引き抜き方向が完全に一致していないこと等の、離型に関連した制限のため、栓を開姿勢に係止保持する係止機能部分を、満足できる機能を発揮する構成に成形できない、と云う不満があった。【０００７】  すなわち、特許文献１にあっては、嘴部に突起を設け、この突起に乗り越え係止する突起を栓に設けて係止機能部分を構成しているが、両突起の乗り越え係止は、栓を嘴部の上面に押付けることにより達成されるため、この栓の押付けの度に肉薄なヒンジに強力な外力が作用し、これによりヒンジが早期に破断してしまう。
【課題を解決するための手段】
【０００８】  上記課題を解決する本発明の内、請求項１記載の発明は、次のようにノズルヘッドを構成した。【０００９】  すなわち、容器口部に組み付けたポンプ機構の作動軸上端に取り付けられ、ポンプ機構から作動軸を介して送出された容器の内容液を、前方に向けて延出されたノズルより吐出するノズルヘッドにおいて、ノズルの先端部を下方に向けて僅かに湾曲させ、かつこのノズルの開口面を、ノズルの中心線に垂直な面より下方に向けて傾斜させ、ノズルの先端にヒンジを介して平板状の蓋体を設け、この蓋体の内面にノズルの開口部に嵌合する突部を設け栓を構成し、蓋体の外面に第一係止片を設け、ノズルの先端上面に第一係止片に係合して栓を開姿勢に保持する第二係止片を設け、該両係止片を、前記ヒンジのヒンジ軸に垂直な面に沿って起立させ、一方が他方の隙間に嵌入することにより係合するものとして栓付きノズルヘッドを構成した。【００１０】  また、請求項２記載の発明は、請求項１記載の発明の構成に、蓋体が、ノズルの開口面の仮想される延長面に沿って位置する状態で、第一係止片および第二係止片の立ち上げ壁面を、離型時に無理抜きが生じない姿勢に形成したこと、を加えたものである。【００１１】  さらに、請求項３記載の発明は、請求項２記載の発明の構成に、蓋体が、ノズルの開口面の仮想される延長面に沿って位置する状態で、両係止片の対向した起立端縁を、型抜き方向に対して０°ないし３０°の範囲で傾斜させたこと、を加えたものである。【００１２】  具体的には、ノズルの開口端に、蓋体に突部を設け、第一係止片を有する栓をヒンジ結合し、ノズル先端に栓に設けられた第一係止片と係合する第二係止片とを設け、更に、ノズルの開口面をノズルの中心線に垂直な面に対して下方に向けた傾斜させ、栓の突部をノズル開口部に嵌合するよう蓋体に対して傾斜させて構成した。【００１３】  また、蓋体が、ノズルの開口面の仮想される延長面に沿って位置する状態で、すなわちノズルヘッドの射出成形時の状態は、第一係止片および第二係止片の立ち上げ壁面を、離型時に無理抜きが生じない姿勢に形成した。
【発明の効果】
【００１４】  本発明のノズルヘッドによれば、ノズル開口を閉鎖できる栓を、突出設された第一および第二の径止片の係合により開姿勢に保持できるので、内容液の注出時に栓が邪魔となることがない。【００１５】  両係止片の係合は、栓のヒンジを軸とした揺動変位に従って、この揺動動作の一部として達成されるので、両係止片を係合させる際に、ヒンジに無理な力を作用させることがない。【００１６】  両係止片は略対向して位置することになるので、開姿勢保持時のヒンジの屈曲程度を少なくすることができ、その分、ヒンジの材料疲労による機械的強度の劣化を小さくすることができる。【００１７】  さらに、栓を、金型からの離型に影響を及ぼすことなく一体に成形できる栓付きノズルヘッドを提供できるので、栓付きノズルヘッドを低い製造コストで、手間を大幅に低減させて提供することができる。
【発明を実施するための最良の形態】
【００１８】  本発明にかかる栓付きノズルヘッドの一実施形態について説明する。【００１９】  図８に、ノズルヘッド２の全体を示す。ノズルヘッド２は、図８に示すように容器本体５０にキャップ５１で組みつけられたポンプ部５２から出入り可能に設けられた作動軸３０の上部先端に取り付けられている。【００２０】  ノズルヘッド２は、図１に示すように作動軸３０に連結する基部４と、押圧面である頂部６と、ノズル８と、栓３等から構成されている。【００２１】  頂部６は円盤状に形成され、手の平や指先等により押し下げられやすく形成されている。ノズル８は斜め上方に延びる管体で、図５に示すように内部で基部４に連通しており、先端が下方に向けて僅かに湾曲している。【００２２】  ノズル８の開口面は、図９に示すように、ノズル８の中心線Ｑに垂直な面よりも、この開口面に立てた垂直線Ｏとの間の角度分だけ、下方に向かって傾斜しており、これにより注出される内容液の向きを、できるだけ下方となるようにしている。【００２３】  蓋体１２と突部１４とから成る栓３は、図２、及び図３にも示すように、ノズル８の開口端上部にヒンジ１０を介して連結されている。ヒンジ１０には板状の蓋体１２が連結されており、蓋体１２の内面に突部１４が設けてあり、蓋体１２の外面には、係止機能部分を構成する第一係止片１６が設けられている。蓋体１２はノズル８の開口部を覆うに十分な広さを有し、先端につまみ片１３が設けられ、ノズル８の先端上部にヒンジ１０により開閉回動自在に取り付けられている。【００２４】  突部１４は、図５の実線で示すようにノズル８の開口部に嵌合可能な略半球状で、蓋体１２に対して前方に傾斜して取り付けてある。この傾斜により、栓３でノズル８を閉じたとき、蓋体１２がノズル８の開口を覆い、かつ突部１４がノズル８の開口部に挿入される。【００２５】  第一係止片１６は、図３にも示すように蓋体１２の外面に形成してあり、頂部が略半円状の三角形で、周縁がノズル８の中心軸に平行な線より内側に傾斜するように形成されている。中心軸に平行な線より内側に傾斜するとは、中心軸と平行な離型方向に対して、型抜きに支障をきたさないように抜き勾配が形成されていることをいう。【００２６】  また、ノズル８の先端上部には、２枚の平行な板材からなる第二係止片１８が第一係止片１６に対向して、この第一係止片１６の厚みより若干狭い間隔でほぼ平行に設けられている。第二係止片１８は、第一係止片１６と同様に、頂部が略半円状の三角形で、第一係止片１６側の面は金型の移動方向に対して抜きテーパーを有する、つまり上金型４２からの型抜きが可能となるよう傾斜している。尚、両係止片１６、１８は、かかる形状に限るものではない。【００２７】  このように、両係止片１６、１８の対向した起立面は、型抜きに支障を与えない傾斜角度で成形されているのであるが、その傾斜角度は、無理抜きを生じさせない限界角度である０°から、両係止片１６、１８を、安定して良好な係合を得ることができる高さとすることのできる限界角度である３０°の範囲に設定されている。【００２８】  ヒンジ１０は、図３に示すように２本形成してあり、薄肉で蓋体１２を開閉回動可能に支持している。【００２９】  図４��、ノズルヘッド２を成形する金型４０を示す。金型４０は、主金型としての上金型４２および下金型４４と、ノズル８の内面を成形する管内用金型４６等からなる。【００３０】  上金型４２と下金型４４とは、図４の上下方向、すなわち成形されるノズルヘッド２の中心軸と平行な方向に互いに離間可能に構成してあり、駆動機構（図示せず）により下金型４４、あるいは上金型４２が駆動される。管内用金型４６は、矢印Ａ、すなわちノズル８の直線部分の延長方向とほぼ平行な方向に往復駆動するよう設けられている。【００３１】  栓３の型は、平板状の蓋体１２が管内用金型４６と主金型との合わせ面４７と平行に形成してあり、管内用金型４６側に突部１４の型が、上金型４２側に第一係止片１６、及び第二係止片１８の型がそれぞれ形成してある。両係止片１６と１８の型は、上述したように型抜きが可能に抜き勾配が形成されている。【００３２】  管内用金型４６には、ノズル８の内面を形成する棒状部材４８が取り付けてあり、棒状部材４８の基部に栓３の型が形成してある。【００３３】  次に、ノズルヘッド２の成形手順について説明する。【００３４】  それぞれの駆動機構を作動させ上金型４２と下金型４４、及び管内用金型４６からなる金型４０を締結させ、型内に溶融樹脂を注入する。型内の注入樹脂が固まったら、まず上金型４２を、下金型４４と管内用金型４６とから分離する。両係止片１６と１８はともに上金型４２から型抜き可能に形成されていることから上金型４２は、ノズルヘッド２が固着した下金型４４から分離される。【００３５】  突部１４を管内用金型４６から突き出させてから、管内用金型４６をＡ方向に移動させる。するとノズル８の内面から棒状部材４８が引き抜かれる。管内用金型４６はノズル８の内面の直線部分の延長線に沿って移動される。その際、蓋体１２等は管内用金型４６から離れていることから、支障なく管内用金型４６を移動させ棒状部材４８を引き抜くことができる。【００３６】  したがって、かかる栓付きのノズルヘッド２によれば、両係止片１６、１８の双方とも上金型４２によって成形でき、第一係止片１６を第二係止片１８に係合させることにより図６に示すように栓３を開姿勢に保持でき、更に突部１４は、蓋体１２をノズル８の開口に合わせたとき、図７に示すようにノズル８の開口部内に挿入され、ノズル８の開口を閉鎖できる。
【図面の簡単な説明】
【００３７】
【図１】本発明にかかる栓付きノズルヘッドの一実施形態を示す側面図である。
【図２】本発明にかかる栓付きノズルヘッドの一実施形態を示す正面図である。
【図３】本発明にかかる栓付きノズルヘンドの一実施形態を示す平面図である。
【図４】金型を示した断面図である。
【図５】図１の栓付きノズルヘッドの一部拡大断面図である。
【図６】栓付きノズルヘッドの一実施形態を示す説明図である。
【図７】栓付きノズルヘッドの一実施形態を示す説明図である。
【図８】ノズル付き容器の例を示す説明図である。
【図９】ノズル開口部の詳細を示す、要部拡大縦断面図である。
【符号の説明】
【００３８】２    ノズルヘッド
３    栓
４    基部
６    頂部
８    ノズル
１０  ヒンジ
１２  蓋体
１３  つまみ片
１４  突部
１６  第一係止片
１８  第二係止片
３０  作動軸
４０  金型
４２  上金型
４４  下金型
４６  管内用金型
４７  合わせ面
４８  棒状部材
５０  容器本体
５１  キャップ
５２  ポンプ部
Ｏ    垂直線
Ｑ    中心線
【図１】
2005162315.tif 000003
【図２】
2005162315.tif 000004
【図３】
2005162315.tif 000005
【図４】
2005162315.tif 000006
【図５】
2005162315.tif 000007
【図６】
2005162315.tif 000008
【図７】
2005162315.tif 000009
【図８】
2005162315.tif 000010
【図９】
2005162315.tif 000011
【手続補正書】
【提出日】平成16年1月23日(2004.1.23)
【手続補正１】
【補正対象書類名】図面
【補正対象項目名】全図
【補正方法】変更
【補正の内容】
【図１】
2005162315.tif 000012
【図２】
2005162315.tif 000013
【図３】
2005162315.tif 000014
【図４】
2005162315.tif 000015
【図５】
2005162315.tif 000016
【図６】
2005162315.tif 000017
【図７】
2005162315.tif 000018
【図８】
2005162315.tif 000019
【図９】
2005162315.tif 000020